(57)【要約】【課題】文字入力の操作性を高めることができる電子機器を提供する。【解決手段】本発明に係る電子機器は、複数の文字キーを配したソフトウェアキーボードを表示可能な表示画面１０と、該表示画面に重畳して配設され、ユーザが接触することで前記文字キーに対応する文字の入力を受け付けるタッチパネル１２と、入力される文字に関連付けられた少なくとも１以上のカテゴリを含む第１のカテゴリ群を記憶している記憶部５５と、前記文字キーが長押しされたときに、前記第１のカテゴリ群の中から、前記入力された文字に関連付けられたカテゴリを取得し、該取得されたカテゴリを前記表示画面の前記文字キーと近接した領域に表示する制御部５０と、を具え、前記制御部は、ユーザが前記タッチパネルへの接触状態を維持したまま、前記文字キーと近接した領域に表示されたカテゴリへ接触移動した場合に、選択されたカテゴリに対応する操作を実行する。【選択図】  図４
2014089503.tif 000002
【特許請求の範囲】
【請求項１】
複数の文字キーを配したソフトウェアキーボードを表示可能な表示画面と、
該表示画面に重畳して配設され、ユーザが接触することで前記ソフトウェアキーボードの文字キーに対応する文字の入力を受け付けるタッチパネルと、
入力される文字に関連付けられた少なくとも１以上のカテゴリを含む第１のカテゴリ群を記憶している記憶部と、
前記文字キーが長押しされたときに、前記第１のカテゴリ群の中から、前記入力された文字に関連付けられたカテゴリを取得し、該取得されたカテゴリを前記表示画面の前記文字キーと近接した領域に表示する制御部と、を具え、
前記制御部は、ユーザが前記タッチパネルへの接触状態を維持したまま、前記文字キーと近接した領域に表示されたカテゴリへ接触移動した場合に、選択されたカテゴリに対応する操作を実行する、電子機器。
【請求項２】
前記記憶部は、前記第１のカテゴリ群のカテゴリに関連付けられた少なくとも１以上のカテゴリからなる第１のカテゴリ群を記憶しており、
前記制御部は、ユーザが前記タッチパネルへの接触状態を維持したまま、前記文字キーと近接した領域に表示されたカテゴリへ接触移動させた後、該カテゴリが長押されると、該カテゴリに関連付けられた前記第２のカテゴリ群のカテゴリを、前記長押しされたカテゴリと近接した領域に表示する、請求項１に記載の電子機器。
【請求項３】
傾きを検知して傾き検知信号を発する傾きセンサを具え、
前記制御部は、前記傾きセンサからの傾き検知信号を受信して、表示されるカテゴリを、同じカテゴリ群のうちの異なるカテゴリに代えて表示する、請求項１又は請求項２に記載の電子機器。
【請求項４】
前記第１のカテゴリ群のカテゴリは、予測変換文字列、漢字変換、カタカナ変換、及び、アルファベット変換の群より選択される少なくとも１を含んでいる、請求項１乃至請求項３の何れかに記載の電子機器。
【請求項５】
前記制御部は、起動しているアプリケーションに応じて、表示するカテゴリを変える、請求項１乃至請求項４の何れかに記載の電子機器。
【請求項６】
前記制御部は、前記カテゴリを前記ソフトウェアキーボードの表示される領域に表示する、請求項１乃至請求項５の何れかに記載の電子機器。
【請求項７】
複数の文字キーを配したソフトウェアキーボードを表示可能な表示画面と、
該表示画面に重畳して配設され、ユーザが接触することで前記ソフトウェアキーボードの文字キーに対応する文字の入力を受け付けるタッチパネルと、
入力される文字に関連付けられた少なくとも１以上のカテゴリを含む第１のカテゴリ群を記憶している記憶部と、
前記文字キーが長押しされたときに、前記第１のカテゴリ群の中から、前記入力された文字に関連付けられたカテゴリを取得し、該取得されたカテゴリを前記表示画面の前記文字キーと近接した領域に表示し、
ユーザが前記タッチパネルへの接触状態を維持したまま、前記文字キーと近接した領域に表示されたカテゴリへ接触移動した場合に、選択されたカテゴリに対応する操作を実行する、
電子機器の制御方法。
【発明の詳細な説明】
【技術分野】
【０００１】
本発明は、タッチパネルを有する電子機器及び該電子機器の制御方法に関するものである。
【背景技術】
【０００２】
タッチパネルと表示画面とを重畳し、表示画面に表示されたソフトウェアキーボードに対応する領域を指先やスタイラスペンなどで触れることで、文字入力などを行なう電子機器が知られている（例えば特許文献１参照）。入力された文字は、ソフトウェアキーボードが表示されるキーボードエリアの上側に設けられた文字入力エリアに表示される。
【０００３】
従来のタッチパネルを用いた文字入力方法の場合、入力された文字は、文字入力エリアに表示される。また、入力された文字の変換候補は、文字入力エリアの一部を隠すようにソフトウェアキーボードの上側に出現する候補一覧表示エリアに表示される。ユーザは、候補一覧表示エリアの中に所望の文字列があれば、当該文字列に指先等を移動してタップする。このタップにより、入力する文字が確定される。
【先行技術文献】
【特許文献】
【０００４】
【特許文献１】特開２００９−２８８８８２号公報
【発明の概要】
【発明が解決しようとする課題】
【０００５】
上記のような従来のタッチパネルを用いた文字入力方法の場合、候補一覧表示エリアが文字入力エリアに出現する場合もある。このような場合、候補一覧表示エリアにより、既に入力された文面が隠れて確認できず、文章の作成が困難となることがある。
【０００６】
また、上記のような従来のタッチパネルを用いた文字入力方法の場合、候補一覧表示エリアが、キーボードエリアの枠外に表示される場合もある。このような場合、ユーザが候補一覧表示エリア中の変換候補を選択するためには、指先等を大きく移動させる必要があり、高速入力を行なうことが困難となる場合もある。
【０００７】
さらに、上記のような従来のタッチパネルを用いた文字入力方法の場合、候補一覧表示エリアには、予測変換文字列、漢字、カタカナ、アルファベットなど多数の候補が一度に表示される場合もある。このような場合、ユーザの意図する変換候補に容易に辿り着けないこともある。
【０００８】
本発明の目的は、文字入力の操作性を向上させることのできる電子機器を提供することである。
【課題を解決するための手段】
【０００９】
本発明に係る電子機器は、
複数の文字キーを配したソフトウェアキーボードを表示可能な表示画面と、
該表示画面に重畳して配設され、ユーザが接触することで前記ソフトウェアキーボードの文字キーに対応する文字の入力を受け付けるタッチパネルと、
入力される文字に関連付けられた少なくとも１以上のカテゴリを含む第１のカテゴリ群を記憶している記憶部と、
前記文字キーが長押しされたときに、前記第１のカテゴリ群の中から、前記入力された文字に関連付けられたカテゴリを取得し、該取得されたカテゴリを前記表示画面の前記文字キーと近接した領域に表示する制御部と、を具え、
前記制御部は、ユーザが前記タッチパネルへの接触状態を維持したまま、前記文字キーと近接した領域に表示されたカテゴリへ接触移動した場合に、選択されたカテゴリに対応する操作を実行する。
【００１０】
また、本発明に係る電子機器の制御方法は、
複数の文字キーを配したソフトウェアキーボードを表示可能な表示画面と、
該表示画面に重畳して配設され、ユーザが接触することで前記ソフトウェアキーボードの文字キーに対応する文字の入力を受け付けるタッチパネルと、
入力される文字に関連付けられた少なくとも１以上のカテゴリを含む第１のカテゴリ群を記憶している記憶部と、
前記文字キーが長押しされたときに、前記第１のカテゴリ群の中から、前記入力された文字に関連付けられたカテゴリを取得し、該取得されたカテゴリを前記表示画面の前記文字キーと近接した領域に表示し、
ユーザが前記タッチパネルへの接触状態を維持したまま、前記文字キーと近接した領域に表示されたカテゴリへ接触移動した場合に、選択されたカテゴリに対応する操作を実行する。
【発明の効果】
【００１１】
本発明の電子機器及び電子機器の制御方法によれば、タッチパネルを用いた文字入力の操作性を向上させることができる。
【図面の簡単な説明】
【００１２】
【図１】図１は、本発明の一実施形態に係る表示画面を示す図である。
【図２】図２は、本発明の一実施形態に係る電子機器の要部機能ブロック図である。
【図３】図３は、本発明の一実施形態に係る動作を示すフローチャート図である。
【図４】図４は、本発明の一実施形態に係る文字入力処理における表示画面を示す図である。
【発明を実施するための形態】
【００１３】
以下、本発明の一実施形態について説明を行なう。
本発明の一実施形態に係る電子機器は、携帯電話機、スマートフォン、ＰＤＡ（Ｐｅｒｓｏｎａｌ  Ｄｉｇｉｔａｌ  Ａｓｓｉｓｔａｎｔ）等の携帯型の電子機器とすることができる。さらに、本発明の一実施形態に係る電子機器は、携帯型の電子機器や、サイズが７〜１０インチ程度のタブレット端末や、ＰＣ等の設置型の電子機器であっても良い。
【００１４】
電子機器は、図１に示すように、液晶ディスプレイ等の表示画面１０と、該表示画面１０に重畳して配設されるタッチパネル１２を具える。タッチパネル１２は、静電容量方式や抵抗膜方式を例示でき、ユーザが直接指先で接触したり、スタイラスペン等を接触させることで操作することができる。なお、以下では、タッチパネル１２の操作をユーザの指先とする。もちろん、本発明の電子機器の一実施形態の操作方法において、指による操作は一例であり、その他スタイラスベンなど適宜な方法により操作をすることができる。
【００１５】
図１は、表示画面１０の一例であり、アプリケーションとしてメールソフトが起動しており、メール作成画面が表示されている状態を示している。図において、表示画面１０の上側は、ユーザが入力した文字又は文字列（確定）、入力中の文字又は文字列（未確定）を表示する文字入力エリア２０である。図中、文字入力エリア２０には未確定の「あ」が入力されている状態を示している。未確定の文字又は文字列にはアンダーラインを付すことで、確定された文字又は文字列と視覚的に区別されている。
【００１６】
表示画面１０の下側は、キーボードエリア３０であり、ソフトウェアキーボードが表示されている。各文字キーの詳細は図示していないが、ソフトウェアキーボードとして所謂「１２ｋｅｙ」を採用することができ、「あ」段の文字に対して、「い」〜「お」段、「ん」が夫々サブ文字キーとして割り当てられている。ソフトウェアキーボードには、文字キー以外に、文字入力を確定させる確定キー、変換候補を列挙する変換キー、削除キー（デリートキー）などの各種キーも含まれる。
【００１７】
ソフトウェアキーボードを用いて、例えば、「あ」段の文字を入力する場合には、該当する文字キーを指先で接触（タップ）すればよい。
また、「あ」段の文字キーに接触することで、当該文字キーに割り当てられたサブ文字キーが文字キーと近接した位置に表示される。「い」段等を入力する場合には、「あ」段の文字キーにユーザが接触した後、接触を維持した状態で表示されるサブ文字キーにスライド（移動）させて、その接触を解除することで（フリック）、その変位量と変位方向に応じて、当該文字キー又はサブ文字キーに割り当てられた文字が入力される。図示の例では、「ら」の文字キー３２にユーザが接触した状態からサブ文字キー３４である「り」の文字へ矢印方向にスライドした状態を示している。
【００１８】
また、図中、文字入力エリア２０とキーボードエリア３０との間には、メール操作に必要な「保存、添付、装飾」などの機能キーが表示される機能キーエリア４０である。
【００１９】
表示画面１０及びタッチパネル１２は、図２に示すように、制御部５０と電気的に接続され、制御部５０の制御に基づいて、表示画面１０に種々の情報が表示されると共に、タッチパネル１２にユーザが接触することで、制御部５０により対応する操作が実行される。なお、実際には制御部５０は、ＣＰＵ、記憶部（メモリ）、記憶部に記憶された各種プログラム等によって実現されるが、図２では、これらの連繋によって実現される代表的な機能に関する機能ブロックを描いている。これら機能ブロックがハードウェアのみ、ソフトウエアのみ又はこれらの組合せによって実現可能であることは当然理解されるべきである。
【００２０】
図２を参照して、制御部５０の一実施形態について説明する。
制御部５０は、メイン制御部５２、タッチパネル判定部５３、表示制御部５４、記憶部５５などを有する。また、制御部５０には、電子機器の傾きを検知する傾き検知センサ５９を接続することができる。傾き検知センサ５９として、電子機器の適所に配置されたジャイロセンサ、加速度センサを例示できる。本実施形態では、傾き検知センサ５９として、一例として加速度センサを利用する。
【００２１】
メイン制御部５２は、電子機器の各機能ブロックの制御や管理の他、電子機器に関する全ての制御、管理を実行する。例えば、メイン制御部５２は、オペレーティングシステムの作動、メールソフトやブラウザなどのアプリケーションの実行、その他、通信や通話に関連する各種機能を実行する。
【００２２】
タッチパネル判定部５３は、タッチパネル１２へのユーザの入力を、その座標情報から検出して、メイン制御部５２に送信する。メイン制御部５２は、タッチパネル判定部５３から受信した座標情報から、その接触位置、変位量、変位方向、接触時間などを判定し、対応する操作を実行する。例えば、キーボードエリア３０に対する操作として、座標情報に基づいて、何れの文字キー又はサブ文字キーが入力されたのかを判定して、ユーザによる文字入力を受け付ける。
【００２３】
表示制御部５４は、表示画面１０を制御する。表示制御部５４は、起動しているアプリケーションに対応した情報を表示画面１０に表示する。例えば、上述したように、メールソフトが起動している場合に、メール作成画面においては、図１に示すように文字入力エリア２０、機能キーエリア４０及びキーボードエリア３０を表示画面１０に表示する。
【００２４】
記憶部５５は、ＲＯＭ、ＲＡＭ、フラッシュメモリ等から構成することができ、各種プログラムやオペレーティングシステム、アプリケーションなどの情報、これらに関連して表示される画面の情報等を記憶する。また、記憶部５５は、タッチパネル１２から入力されたユーザの操作に関する情報、例えば、タッチパネル判定部５３からメイン制御部５２に送信される変位量、変位方向、接触時間などの閾値を記憶しており、これら閾値に基づいて、メイン制御部５２ではタッチパネル１２に入力された操作を判定する。
また、記憶部５５は、ユーザにより入力された文字や入力文字列に関連付けられたカテゴリ群及びこれを構成するカテゴリ（詳細は後述する）や変換候補文字列を記憶するカテゴリ記憶部５６、入力記憶部５７を具える。
【００２５】
カテゴリ記憶部５６は、文字キー又はサブ文字キーを選択したときに、選択された文字又は既に入力された未確定の文字列に関連付けられた少なくとも１以上のカテゴリからなるカテゴリ群を記憶している。本実施形態において、「カテゴリ」とは、ユーザが文字入力に際して必要とする機能（項目）であり、予測変換文字列、漢字変換、カタカナ変換、及び、アルファベット変換の群から選択される１を含んでいる。また、カテゴリには、従来と同様に、文字入力エリア２０と重なるように変換候補をリスト表示する機能を含めることもできる。
【００２６】
予測変換文字列とは、入力された未確定の文字又は文字列に関連する予測変換候補を意味し、予め辞書入力された文字列や、学習により記憶された文字列を含む。また、漢字変換、カタカナ変換及びアルファベット変換は、夫々入力された未確定の文字又は文字列に対応する漢字、カタカナ、アルファベットの文字列に変換する機能を意味する。
【００２７】
より詳細には、前記カテゴリ群は、未確定の文字に関連付けられた少なくとも１以上のカテゴリからなる第１のカテゴリ群と、該第１のカテゴリ群の各カテゴリに関連付けられた少なくとも１以上のカテゴリからなる第２のカテゴリ群を含めることができる。
【００２８】
入力記憶部５７は、起動しているアプリケーションにおいて、入力して確定された文字列や、入力中の未確定の文字列を一時的に記憶し、表示画面１０に表示する機能を有する。
【００２９】
上記構成の電子機器において、本実施形態では、文字入力及びその変換に際し、ユーザがタッチパネル１２から指先を離すことなく、また、可及的にその指先の移動を少なくし、入力操作を高速化できるようにしたものである。
以下、本実施形態の動作フローの一例を図３、また、表示画面１０の表示例を図４に示している。
【００３０】
例えば、メールソフトのメール作成機能を起動すると、図４（ａ）に示すように、文字入力エリア２０、機能キーエリア４０及びキーボードエリア３０が表示画面１０に表示され、文字入力処理の開始状態となる（ステップ開始）。
【００３１】
この状態からユーザがタッチパネル１２を操作して、キーボードエリア３０に表示されるソフトウェアキーボードの文字キーに接触すると（ステップＳ１）、タッチパネル判定部５３によりその接触が検知され、メイン制御部５２にてその接触位置から、ユーザの接触した文字キー３２を特定し、図４（ａ）（状態１）に示すように、サブ文字キー３４をユーザの接触した文字キーと近接した領域に表示する（ステップＳ２）。
【００３２】
図４（ａ）は、既に未確定の文字として「あ」が文字入力エリア２０に入力された状態から、ユーザがソフトウェアキーボードを用いて「ら」の文字キー３２に接触し、「り、る、れ、ろ」のサブ文字キー３４が文字キー３２と近接した領域に表示されている状態を示している。
【００３３】
次に、ユーザが文字キー３２を選択して長押し、又は、タッチパネル１２に接触した状態でサブ文字キー３４までスライドし（図４（ａ）の矢印）、当該サブ文字キー３４を選択して長押しすることで、サブ文字キー３４の表示に変えて、未確定の文字に関連付けられた第１のカテゴリ群を構成するカテゴリ３６が表示される（ステップＳ３〜ステップＳ６及び図４（ｂ））。
【００３４】
長押しは、単位時間当たりの指先の変位量が所定の閾値以下である状態が、所定時間（Ｎ秒間）継続したかどうかで判定することができる。より詳細には、タッチパネル判定部５３が指先の接触を検知するとタイマーをリセットし（ステップＳ３）、文字キー又はサブ文字キーを選択した後、指先がタッチパネル１２から離れることなく（ステップＳ４のＮｏ）、Ｎ秒間（例えば１秒）、その接触が継続したことが検知された場合に長押しと判定することができる。
【００３５】
上記において、Ｎ秒間経過することなく、タッチパネル１２から指先が離れると（ステップＳ４のＹｅｓ）、従来手法と同様に文字選択は完了し（ステップＳ５）、表示画面１０の文字入力エリア２０に対応する文字が未確定の状態で表示される。続くステップＳ１６において、ソフトウェアキーボードの確定キーがタッチされると、文字変換が完了となり（ステップＳ１７）、表示画面１０の文字入力エリア２０に確定文字として表示されて、文字入力処理は終了する（ステップ終了）。なお、ステップＳ１６において、確定ボタンが押されない場合には、入力された文字は未確定のまま、次の文字入力を待つ（ステップＳ１へ戻る）。
【００３６】
ステップＳ６において、長押しと判定されると、メイン制御部５２は、長押しされた「り」を未確定の文字入力として文字入力エリア２０に表示すると共に（即ち、既に「あ」が未確定文字として入力されているから、「り」が表示されることで、文字入力エリア２０には、「あり」が未確定文字列として表示される）、カテゴリ記憶部５６から入力された未確定の文字又は文字列（図示では「あり」）に関連付けられたカテゴリを含む第１のカテゴリ群の情報を取得して、図４（ｂ）に示すように文字キーと近接した領域に取得された第１のカテゴリ群のカテゴリ３６を表示する（ステップＳ７）。図示の例では、ユーザの指先が接触している部分の上下左右にカテゴリ３６を表示しており、その詳細は、漢字（漢字変換）、カタカナ（カタカナ変換）、予測変換（予測変換文字列）、その他（従来と同様のリスト表示）である。
【００３７】
ユーザは、タッチパネル１２に接触した状態で、表示されたカテゴリ３６から所望のカテゴリまで指先をスライドさせて選択する（ステップＳ８及び図４（ｂ）（状態２））。
選択されたカテゴリ３６から指先を離すことなく（ステップＳ９のＮｏ）、Ｎ秒間長押しすると（ステップＳ１１）、メイン制御部５２は、カテゴリ記憶部５６から当該カテゴリ３６に関連付けられた第２のカテゴリ群を構成するカテゴリ３７を表示する（ステップＳ１２及び図４（ｃ）（状態３））。第２のカテゴリ群を構成するカテゴリ３７とは、例えば、カテゴリ３６として予測変換が選択された場合に、「あり」に関連付けられた予測変換のカテゴリ３６に対応する第２のカテゴリ群を構成する少なくとも１以上のカテゴリであって、予測変換候補である「有り」、「アリーナ」、「ありがとう」と「その他（従来と同様のリスト表示）」を表示するものである。これら第２のカテゴリ群のカテゴリ３７も長押しされた第１のカテゴリ群のカテゴリ３６と近接した領域に表示する。
【００３８】
なお、上記において、Ｎ秒間経過することなく、タッチパネル１２から指先が離れると（ステップＳ９のＹｅｓ）、従来手法と同様に文字選択は完了し（ステップＳ１０）、従来の入力手法と同様に、文字入力エリア２０に予測変換候補をリスト表示し（ステップＳ１０）、リスト中の候補から変換候補をタップすると（ステップＳ１６のＹｅｓ）、文字変換が完了し（ステップＳ１７）、文字入力処理は終了する（ステップ終了）。なお、ステップＳ１６において、変換候補がタップされない場合には、入力された文字は未確定のまま、次の文字入力を待つ（ステップＳ１へ戻る）。
【００３９】
第２のカテゴリ群のカテゴリ３７が表示された状態（図４（ｃ））で、表示されたカテゴリ３７の中にユーザの所望する候補があれば、ユーザは指先を該当する候補にスライドさせて（ステップＳ１３）、その候補上で接触状態を解除することにより（ステップＳ１４のＹｅｓ）、そのカテゴリが選択される（ステップＳ１５）。例えば、上記した「ありがとう」をフリック選択することで、入力文字列として「ありがとう」が確定され、表示画面１０の文字入力エリア２０に確定文字列として表示され（図４（ｄ）（状態４））、文字入力処理が終了する（ステップ終了）。
【００４０】
ステップＳ１３及び図４（ｃ）において表示された第２のカテゴリ群のカテゴリ３７の中に、ユーザの所望するカテゴリがない場合には、タッチパネル１２に触れたまま（ステップＳ１４）、例えば、電子機器を傾けることで、現在表示されているカテゴリに代えて、同じカテゴリ群のうちの次のカテゴリを表示することができる（ステップＳ１８のＹｅｓ及びステップＳ１９）。電子機器の傾きは、傾き検知センサ５９（図２参照）により検知され、その検知信号が制御部５０に送信される。
これにより、メイン制御部５２は、表示画面１０に次のカテゴリ３８を表示する（図４（ｅ）（状態５））。図示の実施形態では、カテゴリ３８として、予測変換のカテゴリ群に含まれる予測変換候補である「有り」、「アリーナ」、「ありがとう」、「その他（従来と同様のリスト表示）」の別の予測変換のカテゴリ群に含まれるカテゴリとして、「在り」、「アリゾナ」、「あります」及び「その他（従来と同様のリスト表示）」が挙げられている。なお、「その他（従来と同様のリスト表示）」については、電子機器を傾ける前のカテゴリ３６と、傾けた後のカテゴリ３８とで同じく表示されているが、この実施形態のように、複数のカテゴリのうち一部のみを別のものに置き換えても良いし、全てを別のカテゴリに置き換えるとしても良い。
【００４１】
次のカテゴリ３８が表示された状態（ステップＳ１３に戻る）で、表示されたカテゴリ３８をフリック選択することで、そのカテゴリが選択される（ステップＳ１５）。例えば、「あります」をフリック選択することで、入力文字列として「あります」が確定され、表示画面１０の文字入力エリア２０に確定文字列として表示される（図４（ｆ））。
【００４２】
本実施形態によれば、上記のようにユーザがタッチパネル１２に指先を触れたまま操作するだけで、入力した文字や文字列の変換候補等のカテゴリを含むカテゴリ群を表示することができ、また、ユーザの指先の接触している領域に近接した位置に変換候補等のカテゴリを含むカテゴリ群を表示することができるから、大きく指先を移動させる必要なく、自然な操作で高速入力を行なうことができる。変換候補等のカテゴリを近接した位置に表示していることで、文字入力エリア２０に入力された文面等が隠されることはなく、文章を作成できる。
【００４３】
従って、タッチパネル１２を用いた文字入力の変換候補の選択効率及び操作性を高めることができる。
【００４４】
なお、本発明の各部構成は上記実施の形態に限らず、特許請求の範囲に記載の技術的範囲内で種々の変形が可能である。
【００４５】
カテゴリ記憶部５６は、起動しているアプリケーションに応じたカテゴリを含むカテゴリ群を記憶しており、メイン制御部５２は、アプリケーションに応じたカテゴリを含むカテゴリ群の情報を取得するようにしてもよい。例えば、アプリケーションとしてメールソフトが起動している場合、メール作成の際に使用頻度の「了解」、「ありがとう」などを夫々「り」、「あ」の予測変換候補の上位に含めることができる。
【００４６】
また、アプリケーションとしてブラウザを起動している場合に、認証が必要な場面においては、特定の文字キー又は任意の文字キーを押すと、対応するＩＤやパスワードがカテゴリを構成するカテゴリ群として表示されるようにしてもよい。
【００４７】
さらに、表示されるカテゴリ及びカテゴリ群は、一例であり、勿論、ユーザ設定できるようにしてもよい。
【産業上の利用可能性】
【００４８】
本実施形態は、タッチパネルを用いた文字入力の操作性を高めることができる電子機器として有用である。
【符号の説明】
【００４９】
１０  表示画面
１２  タッチパネル
２０  文字入力エリア
３０  キーボードエリア
５０  制御部
５３  タッチパネル判定部
５４  表示制御部
【図１】
2014089503.tif 000003
【図２】
2014089503.tif 000004
【図３】
2014089503.tif 000005
【図４】
2014089503.tif 000006